(57)【要約】【課題】ペットボトルキャップに簡単に大きな固定力で取付けることができる小物容器を提供すること。【解決手段】容器本体底中央部に、ペットボトルのキャップに嵌合固定するための円筒状凹入部が形成されており、容器本体外周壁に、嵌合または螺合により結合された容器蓋を有するように小物容器を構成する。【選択図】      図２
2004256147.tif 000002
【特許請求の範囲】
【請求項１】
ペットボトルキャップに装着される合成樹脂製小物容器において、
容器本体底中央部に、ペットボトルのキャップに嵌合固定するための円筒状凹入部が形成されており、容器本体外周壁に、嵌合または螺合により結合された容器蓋を有することを特徴とする、
ペットボトルキャップに装着される合成樹脂製小物容器。
【請求項２】
容器本体底中央部に形成された円筒状凹入部の頂部がペットボトルキャップの頂部に当接しかつペットボトルキャップ外周に嵌合固定されており、容器蓋の頂部内面と前記円筒状凹入部の頂部外面とが密接して隣接するように、容器蓋の高さが選定されていることを特徴とする、請求項１に記載の小物容器。
【請求項３】
容器本体底中央部に形成された円筒状凹入部の頂部が、ペットボトルキャップの頂部に当接しかつペットボトルキャップ外周に嵌合固定されており、容器蓋の頂部内面と前記円筒状凹入部の外面との距離を拡大して収納空間が大きくなるように、容器蓋の高さが選定されていることを特徴とする、請求項１又は２に記載の小物容器。
【請求項４】
前記容器本体の外周壁の壁厚が上端側で下端側より肉薄に形成されており、肉薄形成部に、容器蓋の下端側の肉薄に形成された外周部が、嵌合又は螺合により装着されていることを特徴とする、請求項１から３までのいずれか１項記載の小物容器。
【請求項５】
容器蓋の下縁が容器本体底の周縁に係止されることを特徴とする、請求項１から３までのいずれか１項記載の小物容器。
【請求項６】
円筒状凹入部のペットボトルキャップへの固定力を高めるため、数個のリブが円筒状凹入部内壁面に設けられていることを特徴とする、請求項１から５までのいずれか１項記載の小物容器。
【請求項７】
円筒状凹入部の内壁下部にペットボトルのリング状リブに嵌入するためのリング状溝が設けられていることを特徴とする、請求項１から５までのいずれか１項記載の小物容器。
【請求項８】
円筒状凹入部の内壁面にペットボトルキャップ側壁への固定力を高めるためのいぼ状隆起が均一に分布して形成されていることを特徴とする、請求項１から５までのいずれか１項記載の小物容器。
【請求項９】
円筒状凹入部の頂部に対向する容器蓋の頂部内面及び／又は外面にレンズを形成したことを特徴とする、請求項１から８までのいずれか１項記載の小物容器。
【請求項１０】
容器蓋の頂部内面、頂部外面、周壁内面及び周壁外面の少なくとも１つの面に鏡面反射層が形成されていることを特徴とする、請求項１から８までのいずれか１項記載の小物容器。
【請求項１１】
容器本体の側壁及び容器蓋の側壁を正多角筒に形成し、容器蓋の外側壁に鏡面反射層を形成したことを特徴とする請求項１乃至８及び請求項１０のいずれか１項記載の小物容器。
【発明の詳細な説明】
【０００１】
【発明の属する技術分野】
本発明は水、お茶、コーヒー、コーラ、ジュース、健康飲料等のペットボトルのキャップに装着される合成樹脂製小物容器、例えばひまわりの種などの花の種、動物のプラスチック模型、怪獣模型、アクセサリ、お菓子、アニメフィルム等のおまけや粉ミルク、ストロー等を入れる合成樹脂製小物容器に関する。
【０００２】
【従来の技術】
ペットボトル用小物容器としてビニール袋におまけを入れ、ビニール袋に孔をあけ、孔を介してペットボトルの首部に吊下げるとか、対向する一対の側面を開口した大四角柱と、大四角柱の両底面の一部とこれらに挟まれた側面とを利用して上記大四角柱内に形成した小四角柱とからなり、一対の底面には、ペットボトルの首部を挿入する首部挿入孔と、キャップを突出させるキャップ孔とを形成するとともに、首部挿入孔の周囲に切り込みによって首部押さえ片を形成し、首部挿入孔にペットボトルの首部を挿入して取り付けるようにしたおまけ容器が公知である（特許文献１参照）。
【０００３】
【特許文献１】
特開２００１−１９９４４４号公報
【０００４】
【発明が解決しようとする課題】
本発明の課題は、ペットボトル容器のキャップに小物容器を簡単に大きな固定力で取付けることができしかも容器に簡単に小物を入れることができ、容器の製造が容易にこわれ難くリサイクルし易い小物容器を提供することである。
【０００５】
【課題を解決するための手段】
本発明の請求項１に記載された発明は、容器本体底中央部に、ペットボトルのキャップに嵌合固定するための円筒状凹入部が形成されており、容器本体外周壁に、嵌合または螺合により結合された容器蓋を有することを特徴としている。この発明の容器本体底中央部に円筒状凹入部が設けられているためペットボトルキャップに対称に安定して取付けることができる。
【０００６】
請求項２の発明は、容器本体底中央部に形成された円筒状凹入部の頂部がペットボトルキャップの頂部に当接しかつペットボトルキャップ外周に嵌合固定されており、容器蓋の頂部内面と前記円筒状凹入部の頂部外面とが密接して隣接するように、容器蓋の高さが選定されていることを特徴としている。この発明によりペットボトルキャップの頂部と小物容器蓋の頂部内面とは密接して配置されているため、小物容器をペットボトルキャップに装着してもペットボトルの高さより殆ど高くならず、収納、保管に有利である。
【０００７】
請求項３の発明は、容器本体底中央部に形成された円筒状凹入部の頂部が、ペットボトルキャップの頂部に当接しかつペットボトルキャップ外周に嵌合固定されており、容器蓋の頂部内面と前記円筒状凹入部の外面との距離を拡大して収納空間が大きくなるように、容器蓋の高さが選定されていることを特徴としている。この発明により小物容器の収納間を大きくでき大きな小物を収納できる。
【０００８】
請求項４の発明は、容器本体の外周壁の壁厚が上端側で下端側より肉薄に形成されており、肉薄形成部に、容器蓋の下端側の肉薄に形成された外周部が、嵌合又は螺合により装着されていることを特徴としている。この発明により小物容器の壁厚を全体的に一様にできる容器蓋の装着が容易である。
【０００９】
請求項５の発明は、容器蓋の下縁が容器本体壁底に係止されるように構成されていることを特徴としている。この発明により容器蓋が容器本体底縁部に安価に固定することができる。
【００１０】
請求項６の発明は、円筒状凹入部のペットボトルキャップへの固定力を高めるため、数個のリブ又は隆起が設けられていることを特徴としている。この発明によりリブによりペットボトルキャップに強固の固定されるリブは少なくとも３個均一分布して配置されていれば安定に固定できる。
【００１１】
請求項７の発明は、円筒状凹入部の内壁下部に、ペットボトルのリング状リブに嵌入するためのリング状溝が設けられていることを特徴としている。この発明によりペットボトルキャップに形成されているリング状リブにより小物容器が確実に固定される。
【００１２】
請求項８の発明は、円筒状凹入部の内壁面にペットボトルキャップ側壁への固定力を高めるためのいぼ状隆起が均一に分布して形成されていることを特徴としている。この発明により小物容器のペットボトルキャップへの円筒状凹入部の固定力を高めることができる。
【００１３】
請求項９の発明は、円筒状凹入部の頂部に対向する容器蓋の頂部内面及び／又は外面にレンズを形成したことを特徴としている。この発明により小物容器の容器蓋を拡大鏡や収束光を平行光線にするなど理科の実験用具として利用できる。
【００１４】
請求項１０の発明は、容器蓋の頂部内面及び／又は周壁内面に鏡面反射層が形成されていることを特徴としている。この発明により容器蓋を反射鏡として利用できるほか小物容器内部に収納された小物の光による変化を防止できる。
【００１５】
請求項１１の発明は、容器本体の側壁及び容器蓋の側壁を正多角筒に形成し、容器蓋の外側壁に鏡面反射層を形成することを特徴としている。これにより容器蓋をポリゴンミラーとして利用でき、理科の光の実験教材等に利用できる。
【００１６】
【発明の実施の形態】
次に本発明を実施例に基づき図を用いて詳細に説明する。なお各図において対応する部分には同一参照番号が付けられている。
【００１７】
図１は、本発明のペットボトルキャップに装着された合成樹脂製小物容器１の一実施例の斜視略図であり、図２は、図１に示す合成樹脂製小物容器１をペットボトルキャップ２から引離し、容器本体３と容器蓋４とに分解して示す斜視図である。
【００１８】
図３Ａは、図１及び図２に示す合成樹脂製小物容器の縦断面図である。これらの図において容器本体３は容器本体底中央部にペットボトルキャップに嵌合固定するための円筒状凹入部５を有しており、容器本体の側壁は円筒状の立上り側壁６を形成しており、その肉薄の先端部７は、容器蓋４の円筒状外壁８の肉薄の先端部９との嵌合により容器収納空間１０を形成している。この場合円筒状凹入部５の頂部１１と容器蓋４の頂部１２との間は密接に隣接するように形成されているが、密着して位置するように形成することができる。このようにすることにより、ペットボトルの高さと小物容器をペットボトルキャップに装着したときの高さが殆ど変わらず、ペットボトルを収納、保管する上で所要スペースを小さく保つことができる。
【００１９】
円筒状凹入部内壁には数個のリブ１３が周方向にほぼ均等に形成されており、ペットボトルキャップに装着の際このリブの弾性変形により、ペットボトルキャップに強固に固定され、小物容器本体３を飲料入りペットボトルと一緒に持上げても離脱しない。しかし容器本体３とペットボトル間に大きな引離し力を加えることにより離脱できる程度の固定力で固定されている。また図示の実施例では、円筒状凹入部の頂部に向かってテーパー状にリブの高さを高くして装着がスムーズに行えるようにしてある。
【００２０】
また本発明において別の実施例として示す図３Ｂでは、円筒状凹入部のペットボトルキャップへの嵌入固定のために、ペットボトルキャップに場合によって設けられているリング状リブに、弾性変形により嵌合して係合するためのリング状溝１４を設けることができる。この場合図３Ｂの変形としてリング溝の入口部分と出口部分がリング状に僅かな隆起を連続的に又は不連続的に設けると、その弾性変形により固定力が高まる。この場合の固定力も図３Ａと同じ程度に選定されている。また更に本発明の別の実施例として示す図５Ｂに示すように、円筒状凹入部内壁にいぼ状隆起１５を均一に配置し、ペットボトルキャップへの装着の際の弾性変形により強固に固定することができる。しかしペットボトルキャップから小物容器を離脱したいときは離脱できる程度の固定力で固定される。
【００２１】
図３Ａ，Ｂに示す実施例では、小物容器１の容器本体３と容器蓋４とは肉薄先端部７と肉薄先端部９とが単に嵌合により固定されている。この場合ペットボトルに飲料が装填されている状態では容器蓋４を手で持上げると肉薄先端部間の摩擦固定力が小さいため容器蓋のみが離脱してしまう。そのためこのようなことのないようにするためには、ペットボトルに小物容器を装着した状態でその外側をラップにより包装して容器蓋の離脱を防止する必要がある。しかし本発明において別の実施例として示す図４Ａ及び図５Ａにおいて、円筒状凹入部を有する容器本体３の円筒状立上り側壁６にリング状リブ１６を設け、リング状リブ１６を容器蓋４の円筒状側壁８の内面に形成されたリング状溝１７と弾性変形により嵌合させることにより容器蓋４が容器本体３と強固に結合され、ペットボトルに飲料が入っている場合でも小物容器がペットボトルキャップに装着した状態で容器蓋４を掴んで持ち上げても容器蓋４が容器本体３から離脱することがない。しかし小物容器内に収納された物を取出すときはペットボトルにより加わる重力より大きな力を容器蓋４に作用させて外すことができる程度にリング状リブ１６の高さ及びリング状溝１７の深さが選択されている。
【００２２】
また図４Ｂに示す実施例では、小物容器本体３の円筒状立上り側壁６の外周に雄ねじ１８が形成されており、容器蓋４の円筒状側壁内面に雌ねじ１９を形成し、容器本体３に容器蓋４を螺合により取付けることができる。
【００２３】
そのほか本発明により図５Ｂに示すように、容器蓋４は容器本体３の底部外周縁を抱き込み保持するリング状隆起部２０を容器蓋４の円筒状側壁８の下端に形成することにより容器蓋４を容器本体３に固定することもできる。
【００２４】
なお図５Ｂに示す実施例では、容器蓋４の円筒状側壁８の高さを高くして小物容器の収納空間を大きくした場合を示してある。したがってこの場合容器本体３の円筒状凹入部５の頂部１１と容器蓋４の頂部との間隔は大きくなる。
【００２５】
また図５Ｂの実施例では、容器蓋４の頂部１２の下面に凸レンズ状の凸面が形成されており、レンズの働きをするように形成されている。なおこの場合少なくとも容器蓋は透明な合成樹脂から製作されていなければならない。図５では容器蓋の頂部１２の下面のみに凸面が形成されているが、頂部１２の上面のみに凸面を形成することも、上・下の面を凸面にすることもできる。
【００２６】
これらの場合容器蓋が拡大鏡の作用をする。また凸面の代りに凹面にすることにより凹レンズの作用をさせ、凹レンズの焦点に光が収束するように光を投射することにより平行光線としたり、凸レンズの容器蓋と組合わすことにより焦点調節をしたり理科の実験器材として利用できる。
【００２７】
その他本発明により、容器蓋４の例えば図５Ａに示す頂部１２の内面又は頂部１２の外面に鏡面反射層を形成することにより平面反射鏡とすることができる。図５Ｂに示す頂部１２の凸状内面に鏡面反射層を形成すれば凸面鏡の働きをさせることができ、頂部に凹面が形成されており、そこに鏡面反射層を形成すれば凹面鏡の働きをさせることができ、子供の理科教育の実験器具として使うことができる。
【００２８】
また以上小物容器の外周壁が円筒状の場合について説明したが、容器本体３の側壁及び容器蓋４の側壁を正多角形に例えば正八角筒に形成し、側壁上に鏡面反射鏡を形成することによりポリゴンミラーとして光実験器具として使用できる。なお小物容器のペットボトルの幅方向の寸法は、ペットボトルの収納スペースを小さくするためにはペットボトルの幅方向寸法以内に収まるようにすると有利である。しかし小物容器の収納空間を拡大することが要求されるときはペットボトルの幅方向寸法より大きくしてもよい。
【００２９】
なお小物容器は透明な合成樹脂で製作されていることがレンズ作用とか収納空間に形成されている物品を外から見えるようにするためには必要であるが、収納物を外から見えないようにするためや収納物が外光により変質を受けないようにするためには、不透明合成樹脂で製作するとか、反射層を設けるとかすればよい。
【００３０】
【発明の効果】
本発明の小物容器は容器本体の円筒状凹入部によりペットボトルキャップに充分な固定力で固定され、必要に応じてペットボトルから容易に取外すことができると共に容器本体に容器蓋を嵌合又は螺合により簡単に取付けることができ小物容器への小物の収納が容易である。小物容器を合成樹脂で製作するので使用後のリサイクルもペットボトル本体と同時に処理でき好都合である。
【図面の簡単な説明】
【図１】ペットボトルキャップに本発明の小物容器が装着された状態を示す斜視図。
【図２】ペットボトルキャップから本発明の小物容器を取外して容器本体と容器蓋とを分解して示す斜視図。
【図３】本発明の小物容器の２つの実施例の、容器本体に容器蓋を取付けた状態を示す縦断面図。
【図４】本発明の小物容器の２つの実施例の、容器本体に容器蓋を取付けた状態を示す縦断面図。
【図５】本発明の小物容器の２つの実施例の、容器本体に容器蓋を取付けた状態を示す縦断面図。
【符号の説明】
１  合成樹脂製小物容器
２  ペットボトルキャップ
３  合成樹脂製小物容器の容器本体
４  合成樹脂製小物容器の容器蓋
５  円筒状凹入部
６  円筒状立上り側壁
７  円筒状立上り側壁の肉薄先端部
８  容器蓋の円筒状側壁
９  円筒状外側壁の肉薄先端部
１０  収納空間
１１  円筒状凹入部の頂部
１２  容器蓋頂部
１３  リブ
１４  リング溝
１５  いぼ状隆起
１６  リング状リブ
１７  リング状溝
１８  雄ねじ
１９  雌ねじ
２０  リング状隆起部
【図１】
2004256147.tif 000003
【図２】
2004256147.tif 000004
【図３】
2004256147.tif 000005
【図４】
2004256147.tif 000006
【図５】
2004256147.tif 000007